(57)【要約】【課題】住宅のフローリング化が普及してきたなかで、従来の回転ロータは床面等の磨き効果にムラがあることが問題となっていた。また、磨きムラの少ないブラシは塵埃の掻き出し力に問題が有った。【解決手段】機器に回転自在に取着される回転ロータ１において、前記回転ロータ１（２２）は、略棒状のロータ２（１２）、及び清掃部材３（１３）を有し、前記清掃部材３（１３）は、一条以上のブレード４（１４）、及び前記ロータ２（１２）の略全周を覆う、基布９（２０）に毛材１０（２１）を植設した起毛布５（１５）にて形成されたもので、起毛布５（１５）が略全周上にあることで、床面等の磨きムラをなくしつつ、ブレード４（１４）により、塵埃への強い描き出し力を得ることを可能とする。【選択図】図１
2009268684.tif 000002
【特許請求の範囲】
【請求項１】
機器に回転自在に取着される回転ロータにおいて、前記回転ロータは、略棒状のロータ、及び清掃部材を有し、前記清掃部材は、一条以上のブレード、及び前記ロータの略全周を覆う、基布に毛材を植設した起毛布にて形成されていることを特徴とする回転ロータ。
【請求項２】
基布が部分的に露出した不毛部を有する起毛布が、ロータ外周に巻きつけられてあると共に、前記起毛布がブレードと前記ロータにて挟みつけられて固着されていることを特徴とする請求項１に記載の回転ロータ。
【請求項３】
毛材とブレードが基布に固着された清掃部材を、ロータに巻き付けたことを特徴とする請求項１に記載の回転ロータ。
【請求項４】
機器に回転自在に取着される回転ロータにおいて、前記回転ロータは、略筒状のロータ、及び清掃部材を有し、前記清掃部材は、一条以上のブレード、及び前記ロータの略全周を覆う、基布に毛材を植設した起毛布にて形成されていると共に、前記ロータの両端部の内壁面に軸受が装着されてあることを特徴とする回転ロータ。
【請求項５】
請求項１〜４に記載の回転ロータを回転自在に備えた掃除機用吸込具。
【請求項６】
請求項５に記載の掃除機用吸込具を備えた電気掃除機。
【請求項７】
熱交換器と、該熱交換器の上流側に配され流入する空気に含まれる塵埃を捕獲するエアフィルタと、請求項１〜４に記載の回転ロータを備え、前記エアフィルタに付着した塵埃を前記回転ロータで清掃除去するようにした空気調和機。
【発明の詳細な説明】
【技術分野】
【０００１】
本発明は、被清掃面の清掃や洗浄に用いられる回転ロータと、その回転ロータを用いた掃除機用吸込具、電気掃除機及び空気調和機に関する。
【背景技術】
【０００２】
住宅のフローリング化が進み、床面を磨く効果の高いブラシが求められている。従来、この種の回転ロータとして、特許文献１に見られるように、外周長手方向に複数条の溝を有するロータと、前記溝に装着される略帯状の清掃部材と、前記ロータのそれぞれの端部に固着されると共に機器に回転自在に軸支されるブラケット或いは回転軸から構成されているものがある。また、特許文献２に見られるように、起毛布を略棒状のロータに巻きつけて構成されるものがある。
【０００３】
【特許文献１】特開２００５−８７６４４
【特許文献２】特開平７−３０３５８７
【発明の開示】
【発明が解決しようとする課題】
【０００４】
特許文献１に記載されている様な、長手方向に複数条の溝を有し、そこに帯状の清掃部材を挿入して、形成される回転ロータは、前記溝を構成しようとすると、前記溝間はどうしても隙間が開いてしまう。そのため、前記清掃部材間にも隙間ができてしまう。そのため、フローリング等の床面を磨く場合に、床面に清掃部材が接している時間が短く、また断続的になってしまうため、磨きムラや磨き残しが出来てしまう。その他に、前記ロータは押出し捻りやインジェクションで成形されるが、螺旋状の溝の形成が難しく、さらに捻り角度が多くなるほどに、成形が難しくなってくる。
【０００５】
特許文献２に記載されている様な、起毛布を略棒状のロータに巻きつけて構成される回転ロータは、一様に起毛布が巻かれているため、磨きムラが無い。しかし、毛材の腰が弱くゴミを掻き出す際に毛が押し負けて、清掃面にこびり付いたゴミを掻き出す力に劣る。また、糸屑等が巻き締まる事があり、それを取り除くには時間を要し、メンテナンスに手間がかかるという問題がある。
【課題を解決するための手段】
【０００６】
前記従来の課題を解決する為に、本発明の回転ロータは、略棒状のロータ、及び清掃部材を有し、前記清掃部材は、一条以上のブレード、及び前記ロータの略全周を覆う、基布に毛材を植設した起毛布にて形成されていることを特徴とする。
【０００７】
その為、本発明の回転ロータは、ロータ全周を起毛布で覆うことにより、清掃面に連続して接することが出来、高い磨き力を有する。
【０００８】
また、ブレードの弾力性とロータから突き出るような形状が、糸屑等を巻きつきにくくし、巻き締まりによるメンテナンスを容易にする。また、ブレードの弾力によって、ゴミに強い力を加える事により、ゴミの掻き出し力が大きくなる。
【０００９】
本発明のロータは捻りを必要としないので、容易な技術での成形が可能である。
【発明の効果】
【００１０】
本発明の回転ロータは、ムラのない磨きと高い掻き出し力を持ち、糸屑等の絡まりを防止することで、メンテナンスを容易にするもので、ムラのない磨き効果と、高い掻き出し力を持った回転ロータ、掃除機用吸込具、電気掃除機、及び空気調和機を提供することができる。
【発明を実施するための最良の形態】
【００１１】
第１の発明は、機器に回転自在に取着される回転ロータにおいて、前記回転ロータは、略棒状のロータ、及び清掃部材を有し、前記清掃部材は、一条以上のブレード、及び前記ロータの略全周を覆う、基布に毛材を植設した起毛布にて形成されたもので、起毛布が略全周上にあることで、床面等の磨きムラをなくしつつ、ブレードにより、塵埃への強い掻き出し力を得ることを可能とする。
【００１２】
第２の発明は、第１の発明の回転ロータにおいて、基布が部分的に露出した不毛部を有する起毛布が、ロータ外周に巻きつけられてあると共に、前記起毛布がブレードと前記ロータにて挟みつけられて固着されるようにしたもので、接着剤を用いずに清掃部材とロータを固着することを可能し、廃棄の際に清掃部材とロータの分別を容易に出来る。
【００１３】
第３の発明は、第１の発明の回転ロータにおいて、毛材とブレードが基布に固着された清掃部材を、ロータに巻き付けたもので、接着剤を用いずに清掃部材とロータを一体とすることを可能とする。
【００１４】
第４の発明は、機器に回転自在に取着される回転ロータにおいて、前記回転ロータは、略筒状のロータ、及び清掃部材を有し、前記清掃部材は、一条以上のブレード、及び前記ロータの略全周を覆う、基布に毛材を植設した起毛布にて形成されていると共に、前記ロータの両端部の内壁面に軸受が装着されてあるもので、起毛布が略全周上にあることで、床面等の磨きムラをなくしつつ、ブレードにより、塵埃への強い掻き出し力を得ることを可能とする。また、軸受を内壁面に装着することで、軸体をロータ内部に収納できるので、回転ロータ、及び回転ロータを取り付ける機器をより少ないスペースで形成することが可能となる。
【００１５】
第５の発明は、第１から第４のいずれかの発明の回転ロータを回転自在に備えた掃除機用吸込具であり、床面等へのムラのない磨き効果と高い掻き出し力を備えた掃除機用吸込具を提供することが出来る。
【００１６】
第６の発明は、第５の発明の掃除機用吸込具を備えた電気掃除機であり、床面等へのムラのない磨き効果と高い掻き出し力を備えた電気掃除機を提供することが出来る。
【００１７】
第７の発明は、熱交換器と、該熱交換器の上流側に配され流入する空気に含まれる塵埃を捕獲するエアフィルタと、第１から第４のいずれかの発明の回転ロータを備え、前記エアフィルタに付着した塵埃を前記回転ロータで清掃除去するようにした空気調和機であり、エアフィルタ表面へのムラのない磨き効果と、エアフィルタに付着した塵埃の掻き出し力に優れた塵埃除去装置を備えた、空気調和機を提供することが出来る。
【００１８】
以下、本発明の実施例について、図面を参照しながら説明する。なお、この実施例によって本発明が限定されるものではない。
(実施例１)
【００１９】
図１は、本発明の第１の実施例における回転ロータの斜視図、図２は、同回転ロータの断面図、図３は、同回転ロータのロータの斜視図、図４は、同回転ロータのブレードの側面図、図５は、起毛布の斜視図、図６は、図５の平面図、図１３は、同回転ロータに軸体が取り付けられる状態の斜視図である。
【００２０】
図１において、第１の実施例における、回転ロータ１は略棒状のロータ２の全周に清掃部材３を配することで形成される。清掃部材３はロータ２の長手方向へ1条以上のブレード４と、ロータ２を覆う起毛布５を有し、回転ロータ１は図２にあるように、ブレード４が起毛布５とロータ２を挟み込むよう一体に構成され、ロータ２の左右それぞれの端部には、図１３にあるように、軸体A２３、軸体B２４が、嵌合固着されている。また、軸体B２４の外周には、機器内のタイミングベルト（図示せず）を張架する為のギア２４aが形成されている。このとき、軸体ではなく軸受などを用いても良いし、ロータ２自体を滑りの良い樹脂などで略真円状に形成し、ロータ２の両端をそのまま軸体とする方法や、ロータ２の両端に略真円状のザグリ加工を行い軸受としても良い。
【００２１】
次に、ロータ２、ブレード４、起毛布５についての詳細な説明を行う。
【００２２】
ロータ２は略棒状であり捻りを必要としないため、押出し技術などの容易な技術で成形できる。図３にあるように、ロータ２には清掃部材３を取り付けるための孔６が開いている。孔６はロータ２の長手方向に平行して、直線状に並んでいるようにすると形成しやすい。なお、ブレード４の使用本数や捻り角度によって、必要な孔６の数と配置を変化させる必要がある。ロータ２は中空であることが軽さを保ちつつ強度を得る面で望ましく、本実施例でも中空となっている。
【００２３】
ブレード４は、図４にあるように、清掃部７と基部８で形成され、基部８にはロータ２に取り付けるためのピン８ａが形成され、ピン８ａは、ブレード４をロータ２に取り付けるとき、孔６に挿入される位置に配され、嵌め殺しとなる形状をしている。
【００２４】
起毛布５は、図５にあるように、基布９と毛材１０で形成される。基布９には、孔１１が、ロータ２に巻きつけたとき、孔６と同じ位置に来るように列を成して開けられている。図６にあるように、基布９は平行四辺形を成し、平行四辺形の対角の角度を使用目的に応じて任意に設定できる。基布９には、ブレード４が基布９に接する部分を除いて、毛材１０が植設される。
【００２５】
次に、回転ロータ１の製作手順について説明する。まず初めに、ロータ２に起毛布５を毛材１０が外側になる様に巻き付ける。このとき、ロータの孔６と、起毛布５の孔１１が重なるようにすると共に、起毛布５の両端部の孔１１がそれぞれ重なるようにし、ブレード４のピン８ａを、起毛布５の孔１１とロータ２の孔６に順に挿入、一体化させ、回転ロータ１を製作する。また、ロータ２の左右それぞれの端部に、軸体A２３、軸体B２４を、嵌合固着することにより、機器に回転自在に装着することができる。
【００２６】
以上の構成により、第１の実施例による回転ロータ１は、機器に回転自在に着脱され、起毛布５によりムラのない磨きを行いつつ、ブレード４により高い掻き出し力を備える。
（実施例２）
【００２７】
図７は、本発明の第２の実施例における回転ロータの斜視図、図８は、同回転ロータの断面図、図９は、同回転ロータのロータの斜視図、図１０は、同回転ロータのブレードの正面図、図１１は、同回転ロータの清掃部材の斜視図、図１２は、図１１の起毛布の正面図、図１３は同回転ロータに軸体が取り付けられる状態の斜視図。
【００２８】
図７において、第２の実施例における回転ロータ２２は略棒状のロータ１２の全周に清掃部材１３を配することで形成される。清掃部材１３はロータ１２の長手方向へ1条以上のブレード１４と、ロータ１２を覆う起毛布１５を有し、清掃部材１３の一端に止め部１６を有し、図８にあるように、もう一端にあるブレード１４と嵌めあわされることで構成され、ロータ１２の左右それぞれの端部に、軸体A２３、軸体B２４が、嵌合固着されている。また、軸体B２４の外周には、機器内のタイミングベルト（図示せず）を張架する為のギア２４aが形成されている。このとき、軸体ではなく軸受などを用いても良いし、ロータ１２自体を滑りの良い樹脂などで略真円状に形成し、ロータ１２の両端をそのまま軸体とする方法や、ロータ１２の両端に略真円状のザグリ加工を行い軸受としても良い。
【００２９】
次に、ロータ１２、ブレード１４、起毛布１５、についての詳細な説明を行う。
【００３０】
ロータ１２は略棒状に成形され、捻りを必要としないため、押出し成形などの技術で容易に成形できる。ロータ１２は中空であることが軽さを保ちつつ強度を持つ面で望ましく、本実施例でも中空となっている。
【００３１】
ブレード１４は、図１０にあるように清掃部１８と基部１９で構成され、基部には止め部１６と嵌めあう為の溝１９ａが形成されている。ブレード１４は押出し成形で成形可能なので、長さが自由自在に変更でき、製造コストに優れる。
【００３２】
起毛布１５は、図１１にあるように、基布２０に毛材２１が植設されてある。基布２０は平行四辺形をなし、その角度を使用目的に応じて任意に設定することが出来る。基布２０には、ブレード１４が配される場所以外は毛材２１が植設され、図１２の如く基布２０の一端を以外は、ブレードを取り付けるための止め部１６が形成されてある。止め部１６はインサート成形により基布２０に成形される。
【００３３】
また、図１１にあるように、清掃部材１３は、基布２０の一端には、ブレード１４が基布２０からはみ出すように、縫糸１７によって縫い付けられてあり、反対側の一端には止め部１６が形成されてある。ロータ１２の外周に基布２０を巻きつけると共に、基布２０の一端にある止め部１６に、ブレード１４をはめ込んで固着する。ここで、固着強度をより強める為、縫糸１７を用いてはめ合わせたブレード１４と基布２０を縫い合わせても良い。また、ブレード１４の本数を増やすことで、描き出し力を強化してもよい。上記の如く、回転ロータ２２は、ロータ１２に清掃部材１３を巻き付けつつ、清掃部材１３の一端にある止め部１６と、もう一端にあるブレード１４を嵌め合わしていくことによって組み合わされ、図１３の如く、ロータ１２の左右それぞれの端部に、軸体A２３、軸体B２４を、嵌合固着されることで、回転ロータ２２が形成される。
【００３４】
以上の構成により、第２の実施例による回転ロータ２２は、機器に回転自在に着脱され、起毛布１５によりムラのない磨きを行いつつ、ブレード１４により高い掻き出し力を備える。
（実施例３）
【００３５】
図１４は、本実施例の模式図である。なお、上記実施例における回転ロータと同一部分については、同一符号を付け足してその説明を省略する。
【００３６】
図１４において、本実施例における回転ロータ１（または２２）は、ロータ２（または１２）の両端部の内壁面に軸受３５が嵌合固着されてあり、ロータ２（または１２）の一端には新たに機器内のタイミングベルト２７に張架するためのギア４０が構成されている。ここで、ギア４０は軸受３５の一方の一部をロータ２（または１２）からはみ出させるように成形した部分に構成してもよい。回転ロータ１（または２２）が取り付けられる機器に形成された固定シャフト３６に、軸受３５が装着されることで、回転ロータ１（または２２）は、機器に回転自在に装着されることが可能となる。
【００３７】
以上の構成により、第３の実施例による回転ロータ１（または２２）は、機器に回転時自在に着脱され、ムラの無い磨きと高い掻き出し力を備える。
（実施例４）
【００３８】
図１５は、本発明の回転ロータを取り付けた第４の実施例における掃除機用吸込具の斜視図と、裏図面である。なお、上記実施例における回転ロータと同一部分については、同一符号を付してその説明を省略する。
【００３９】
図１５において、掃除機用吸込具２５の本体２５ａ内には、上記実施例における回転ロータ1（または２２）と、電動機２６と、電動機の回転軸（図示せず）と、回転ロータ１（または２２）の軸体２４にあるギア２４ａ間に張架されるタイミングベルト２７が配され、本体の後方中央部には、上下、左右回動自在で、電気掃除機（図示せず）に接続された延長管（図示せず）に着脱自在に接続される接続管２８が設けられ、本体２５ａの底面２５ｂの前後に一対ずつ走行用の車輪２９が設けられ、同底面２５ｂの前部には、回転ロータ１（または２２）の清掃部材３（または１３）が臨むと共に、塵埃を吸引する吸引口３０が形成されている。
【００４０】
以上の様に構成された本実施例における掃除機用吸込具２５の動作は、以下の通りである。
【００４１】
掃除機用吸込具２５を、接続管２８を介して、電気掃除機の延長管に接続し、同電気掃除機を運転しながら、掃除機用吸込具２５を床面上で移動させると、床面上の塵埃が、清掃部材３（または１３）によって、掻き取られると共に、空気と共に、吸引口３０から、吸引され、接続管２８、延長管、ホース（図示せず）を通って、電気掃除機の集塵部（図示せず）で補足されると共に、清掃部材３（または１３）が床面をムラなく磨き上げる。
【００４２】
以上のように、本実施例によれば、床面等へのムラの無い磨き効果と、高い掻き出し力を持った掃除機用吸込具を提供する事ができる。また、本実施例の掃除機用吸込具を接続すれば、同じく床面等へのムラの無い磨き効果と、高い掻き出し力を持った電気掃除機を提供する事ができる。
（実施例５）
【００４３】
図１６は、本発明の回転ロータを取り付けた空気調和機の要部斜視図、及び部分断面図である。なお、上記実施例と同一部分については、同一符号を付してその説明を省略する。
【００４４】
図１６において、本実施例における空気調和機は、室内熱交換器（図示せず）と、同室内交換器の上流側に配され、前記室内交換器を通過する空気に含まれる塵埃を補足すると共に、枠体３１ａと、枠体３１ａに一体に貼り付けられたネットフィルタ３１ｂから構成されたエアフィルタ３１と、駆動手段Ａ（図示せず）にて、エアフィルタ３１の上流側表面に沿って移動可能に設けられた塵埃除去装置３２と、可撓性に優れたダクト３３を介して塵埃除去装置に接続された吸引装置３４を備えている。
【００４５】
塵埃除去装置３２は駆動手段Ｂ（図示せず）にて回転駆動される回転ロータ１（または２２）を内蔵すると共に、エアフィルタ３１と対抗する面に、回転ロータ１（または２２）の清掃部材３（または１３）が臨むと共に、吸引装置３４と連通する開口部３２ａが設けられている。なお、エアフィルタ３１と回転ロータ１（または２２）の位置関係は、図１６（ｂ）に示すように、開口部３２ａを通して、回転ロータ１（または２２）の清掃部材３（または１３）がエアフィルタ３１の上流面に当接出来るようになっている。
【００４６】
上記の様に構成された本実施例における空気調和機の動作は以下の通りである。
【００４７】
エアフィルタ３１に付着した塵埃を除去するときは、吸引装置３４を運転しながら、駆動手段Ａ及び駆動手段Ｂを駆動すると、塵埃除去装置３２が、エアフィルタ３１の一端（図１６（ａ）に示す例では左端）から他端（右端）に向かって移動開始すると同時に回転ロータ１（または２２）が回転し、清掃部材３（または１３）が、フィルタ表面を磨きつつ、エアフィルタ３１の表面に付着した塵埃を掻き取り、その掻き取られた塵埃は、開口部３２ａから吸引され、ダクト３３を得て吸引装置３４に送られ、外部に排出されるようになっている。
【００４８】
以上のように、本実施例によれば、フィルタ表面へのムラのない効果と、塵埃の掻き出し力に優れた、塵埃除去装置を備えた、空気調和機を提供する事が出来る。
【産業上の利用可能性】
【００４９】
以上のように、本発明にかかる回転ロータは、床面などに対して、ムラの無い磨きと高い書き出し力を備え、各種掃除機用吸込み具、電気掃除機、及び空気調和機などに広く応用できる。
【図面の簡単な説明】
【００５０】
【図１】本発明の第１の実施例における回転ロータの斜視図
【図２】図１の回転ロータの断面図
【図３】図１の回転ロータのロータの斜視図
【図４】図１の回転ロータのブレードの側面図
【図５】図１の回転ロータの起毛布の斜視図
【図６】図５の起毛布の正面図
【図７】本発明の第２の実施例における回転ロータの斜視図
【図８】図７の回転ロータの断面図
【図９】図７の回転ロータのロータの斜視図
【図１０】図７の回転ロータのブレードの正面図
【図１１】図７の回転ロータの清掃部材の斜視図
【図１２】図１１の清掃部材の起毛布の正面図
【図１３】図１あるいは図７の回転ロータに軸体が取り付けられる状態の斜視図
【図１４】本発明の第３の実施例における模式図
【図１５】本発明の回転ロータを取り付けた掃除機用吸込具の斜視図と裏面図
【図１６】本発明の回転ロータを取り付けた空気調和機の要部斜視図と部分断面図
【符号の説明】
【００５１】
１、２２  回転ロータ
２、１２  ロータ
３、１３  清掃部材
４、１４  ブレード
５、１５  起毛布
６、１１  孔
７，１８  清掃部
８、１９  基部
８ａ  ピン
９、２０  基布
１０、２１  毛材
１６  止め部
１９ａ  溝
２３  軸体Ａ
２４  軸体Ｂ
２４ａ  ギア
２５  掃除機用吸込具
２５ａ  本体
２５ｂ  底面
２６  電動機
２７  タイミングベルト
２８  接続管
２９  車輪
３０  吸引口
３１  エアフィルタ
３１ａ  枠体
３２ｂ  ネットフィルタ
３２  集塵除去装置
３２ａ  開口部
３３  ダクト
３４  吸引装置
３５  軸受
３６  固定シャフト
４０  ギア部
【図１】
2009268684.tif 000003
【図２】
2009268684.tif 000004
【図３】
2009268684.tif 000005
【図４】
2009268684.tif 000006
【図５】
2009268684.tif 000007
【図６】
2009268684.tif 000008
【図７】
2009268684.tif 000009
【図８】
2009268684.tif 000010
【図９】
2009268684.tif 000011
【図１０】
2009268684.tif 000012
【図１１】
2009268684.tif 000013
【図１２】
2009268684.tif 000014
【図１３】
2009268684.tif 000015
【図１４】
2009268684.tif 000016
【図１５】
2009268684.tif 000017
【図１６】
2009268684.tif 000018